(57)【特許請求の範囲】
【請求項１】
槽体の底壁に下方に窪んだ排水ガイド部３を設け、この排水ガイド部３の側方壁部に、水平方向に開口した排水口１と、
排水口１からの排水を受ける箇所と排水を直接受けない箇所を備えた、上端に開口部５を備えた排水器本体４と、
開口部５下方に形成され、排水ガイド部３が挿入されるガイド受け部１６と、
からなり、
槽体の底壁下面に排水器本体４との接続部２を設け、槽体に排水器本体４を接続固定すると共に、
平面視排水口１の内周縁の全部が、排水器本体４の開口部５の内周縁よりも内側に配置され、
開口部５は排水ガイド部３下端よりも上方の、排水口１からの排水を直接受けない箇所に配置され、排水器本体４は、ガイド受け部１６下端より下流側の排水流路において排水口１からの排水を受け、
上記排水器本体４内部に、毛髪や塵芥などを収納する収納部８ａを有したストレーナー８を配置すると共に、
平面視において、ストレーナー８の収納部８ａの一部が槽体の底壁の下方に配置されて、
平面視において、排水口１を介しては収納部８ａの一部が目視できないように構成されたことを特徴とする槽体と排水器との接続構造及び排水器の構造。
【請求項２】
平面視において、排水口１の形状が円形以外の非円形形状を成すことを特徴とする、請求項１に記載の槽体と排水器との接続構造及び排水器の構造。
【請求項３】
槽体の底壁に設けられた排水口１と、
排水口１の少なくとも槽体奥側の排水口１周縁から、槽体手前側に下り傾斜してなる排水ガイド部３と、
排水口１からの排水を受ける箇所と排水を直接受けない箇所を備えた、内径が平面視非円形状の開口部５を上端に備えた排水器本体４と、
開口部５下方に形成され、排水ガイド部３が挿入されるガイド受け部１６と、
からなり、
槽体の排水口１の周囲の底壁下面に排水器本体４との接続部２を設け、槽体に排水器本体４を接続固定すると共に、
平面視排水口１の内周縁の全部が、排水器本体４の開口部５の内周縁よりも内側に配置されているとともに、平面視排水口１の形状が円形以外の非円形形状を成し、
開口部５は排水ガイド部３下端よりも上方の、排水口１からの排水を直接受けない箇所に配置され、排水器本体４は、ガイド受け部１６下端より下流側の排水流路において排水口１からの排水を受けることを特徴とする、槽体と排水器との接続構造及び排水器の構造。
【請求項４】
前記排水ガイド部３を、排水口１の周縁から下方ほど手前側に向けて傾斜させるとともに、
前記排水器本体４を、排水ガイド部３の傾斜に連続した傾斜を備え、
排水器本体４内部に、毛髪や塵芥などを収納する収納部８ａを有した箱体形状のストレーナー８を配置すると共に、
平面視において、ストレーナー８の収納部８ａの一部が槽体の底壁の下方に配置されて、
排水口１を介しては収納部８ａの一部が目視できないように構成し、
前記収納部８ａの側壁を、排水ガイド部３の傾斜に沿って挿入することができる形状の傾斜面８ｃを備えると共に、
ストレーナー８の収納部８ａが排水器本体４内部に配置された際に下面から見える部分だけ通水孔８ｂを開口したことを特徴とする、請求項３に記載の槽体と排水器との接続構造及び排水器の構造。
【請求項５】
上記排水器本体４内部に、毛髪や塵芥などを収納する収納部８ａを有したストレーナー８を配置すると共に、
平面視において、ストレーナー８の収納部８ａの一部が槽体の底壁の下方に配置されて、
平面視において、排水口１を介しては収納部８ａの一部が目視できないように構成されたことを特徴とする、
請求項３に記載の槽体と排水器との接続構造及び排水器の構造。
【請求項６】
排水器本体４から着脱自在であって、筒状の部材とすると共に、排水器本体４内に配置され、排水器本体４内とストレーナー８部材の間に配置される、排水口１から取り出すことのできるカバー部材９を備えたことを特徴とする、請求項１乃至請求項５のいずれか１つに記載の槽体と排水器との接続構造及び排水器の構造。
【請求項７】
平面視において、槽体底壁下面であって、施工後の開口部５が位置する箇所の周囲に円環状の接続部２としての接続台座部１４を設け、接続台座部１４の外周面に側面に雄ネジ部７を備えた接続部２としての接続部材１３を備え、
排水器本体４の周囲に、側面に雌ネジ部１２ａを備えた袋ナット部材１２を挿通し、
排水器本体４と槽体との接続固定を、該雄ネジ部７と袋ナット部材１２の雌ネジ部１２ａを利用した螺合によって行うことを特徴とする、
請求項１乃至請求項６のいずれか一つに記載の槽体と排水器との接続構造及び排水器の構造。
【請求項８】
排水器本体４を、透明な素材より構成し、内部を排水器本体４の外側面方向から視認できるようにしたことを特徴とする、請求項１乃至請求項７のいずれか一つに記載の槽体と排水器との接続構造及び排水器の構造。
【請求項９】
排水器本体４の外側面に、排水器本体４内部と連通する点検口１０を設けると共に、該点検口１０に着脱自在で水密的に閉塞可能な蓋部材１１を備えたことを特徴とする、請求項１乃至請求項８のいずれか一つに記載の槽体と排水器との接続構造及び排水器の構造。
【発明の詳細な説明】
【技術分野】
【０００１】
本発明は洗面台、流し台、浴槽、浴室などの槽体と排水器と接続構造に関するものである。
【背景技術】
【０００２】
従来、洗面台、流し台、手洗い器等の槽体と排水器の取付構造として、図３０に示した、特許文献１に従来の排水配管が示されている。
特許文献１の従来例は、槽体の底壁に設けられた開口部と、該開口部に備えられる、有底筒状にして上端に側面方向に突出したフランジ部を備え、且つフランジ部の下方側面に雄ネジ部を設けた排水器本体と、排水器本体の雄ネジ部と螺合する雌ネジ部を備えた板ナット部材、とからなる槽体と排水器である。
上記排水器本体を槽体に接続する場合、排水器本体のフランジ部下面が、槽体の開口部の周縁上面に当接するように配置し、その後板ナット部材の雌ネジ部を、排水器本体の雄ネジ部に螺合させると、排水器本体のフランジ部と板ナット部材の上端とで、開口部の周縁が挟持され、これによって排水器本体が槽体に固定される。
上記従来例は流し台における槽体と排水器との接続構造であるが、同様の接続構造は洗面台、浴槽、浴室などの槽体と、その排水を処理する排水器との接続構造に利用されている。
【０００３】
また、上記従来例１に記載の方法に対して、意匠性や清掃性を良好なものとする目的で、特許文献２、特許文献３に記載したような槽体と排水器の取付構造が提案されている。
図３１に示した、特許文献２に記載の槽体と排水器の取付構造は、槽体、排水器本体、板ナット部材、から構成される。
槽体は、上方が開口した略直方体形状の部材であって、その底壁に、下側に突出すると共にその下端に開口部を備えた排水口本体を備えてなる。
排水器本体は、上端に側面方向に突出したフランジ部を備え、且つフランジ部の下方側面に雄ネジ部を設けてなる。
板ナット部材は、リング状にして、排水器本体の雄ネジ部と螺合する雌ネジ部を内部に備えてなる。
上記排水器本体を槽体に接続する場合、排水器本体のフランジ部下面が、槽体の開口部の周縁上面に当接するように配置し、その後板ナット部材の雌ネジ部を、排水器本体の雄ネジ部に螺合させると、排水器本体のフランジ部と板ナット部材の上端とで、開口部の周縁が挟持され、これによって排水器本体が槽体に固定される。
【０００４】
図３２に示した、特許文献３に記載の槽体と排水器の取付構造は、槽体、排水器本体、ナット部材、から構成される。
槽体は、上方が開口した略直方体形状の部材であって、その底壁に排水口を備えると共に、排水口の周縁から下方に向かって、外側面に雄ネジ部を有する接続部材を備えた筒状の排水口側壁を垂下して設けてなる。
排水器本体は、有底筒状にして、上端に内側面方向に突出したフランジ部を備えてなる。
袋ナット部材は、断面Ｌ形状のリング状にして、接続部材の雄ネジ部と螺合する雌ネジ部を内部に備えてなる。
上記排水器本体を、槽体に接続する場合、排水器本体のフランジ部上面が、槽体の排水口側壁下端に当接するように配置し、その後袋ナット部材の雌ネジ部を、接続部材の雄ネジ部に螺合させると、排水口側壁下面と袋ナット部材の下端部の壁とで、排水器本体のフランジ部が挟持され、これによって排水器本体が槽体に固定される。
【０００５】
【特許文献１】特開２００２−  １３１７５号公報
【特許文献２】特開２００５−１７９９５０号公報
【特許文献３】特開２００７−２５５０２８号公報
【発明の開示】
【発明が解決しようとする課題】
【０００６】
上記従来例の手法のうち、特許文献１に記載の方法によれば、槽体の底壁上面に、槽体と排水器本体との継ぎ目部分（フランジ部の外周縁）が生じるため、以下のような問題点が生じる。
課題１．フランジ部分と槽体内面とは素材が異なる場合が多く、色調、質感に相違が生じて意匠性が悪くなる。また、槽体内面に槽体と排水器本体との継ぎ目部分が生じるため意匠性は更に悪くなる。
課題２．継ぎ目部分は上方に開口しているため、この継ぎ目部分にゴミが溜まりやすい。また、この部分に入り込んだゴミは、槽体を上下反転したり、容易に排水器本体と槽体とを分離することもできないため、取り出すことも困難となる。槽体に段押し部分を無くして、図３３のように側面を向いた方向に継ぎ目を設ける事も可能ではあるが、この場合、槽体の底壁からフランジ部の上縁の高さまで排水が溜まることになり、衛生上問題があるため実際に利用することはほぼ不可能である。
課題３．排水口を形成する排水器本体の側面に雄ネジ部を設ける構成上、排水口の形状は平面視円形に限定され、それ以外の形状、例えば四角形形状などを使用することができなくなり、製品のデザインレイアウトが限定される。
【０００７】
特許文献２に記載の方法では、継ぎ目部分が槽体の底壁上から排水口本体下方に移動するため、課題１．に記載された、槽体の底壁上面に槽体と排水器本体の継ぎ目が生じる、という課題は見かけ上解決される。しかしながら、実際には継ぎ目部分が排水口本体下方に生じるため、排水用の開口を設けた目隠しプレートなどで排水口本体の上方部分を覆い、排水口本体の継ぎ目を目視できないようにしない限り、課題を解決することはできない。そして、目隠しプレートで排水口本体の上方部分を覆うことは、槽体底壁に、槽体と目隠しプレートとの継ぎ目を生じることであり、目隠しプレートと槽体内面との色調、質感に相違が生じて意匠性が悪くなる。また、継ぎ目部分が生じるため意匠性は更に悪くなる。結局の処、特許文献１において槽体内面と排水器本体のフランジ部との間で生じていた意匠性悪化の問題が、槽体内面と目隠しプレートとの間で生じることとなる。
また、課題２．についても、排水口本体の底壁上面にやはり排水器本体との継ぎ目が上方を向いて生じるため、この部分にゴミが溜まりやすい。また、この部分に入り込んだゴミは、槽体を上下反転したり、容易に排水器本体と槽体とを分離することもできないため、取り出すことも困難となる。結局、継ぎ目の生じる位置が単に槽体底壁上面から変更されるだけで、課題２．の根本的な解決は果たせない。
また、課題３．については、排水口本体の上縁の形状を平面視四角形状などに変更できるなど、特許文献１よりもデザイン上の制限は緩和されるが、それでも排水口本体の側壁部分とフランジ部分を係止するため排水口本体下端を内側に折り曲げる必要が有るなど、デザインの自由度には限界がある。特に特許文献２に記載されているように、ステンレスの板材をプレス加工にて成型する場合、排水口本体の形状を複雑にしたり深くすると、プレス加工の際に板材に亀裂が生じて成型できなくなる。
【０００８】
特許文献３に記載の方法では、円形の継ぎ目部分が槽体の底壁上から排水口側壁の下端部分に移動し、開口の向きも横方向となるため、課題２．に記載された課題は解決することができる。
しかしながら、排水口の周縁に沿って排水口側壁を垂下し、その外側面に接続部材を備えて構成したため、排水口の形状は、槽体と排水器本体との接続構造に大きく影響される。例えば、ネジ接続を利用して槽体と排水器本体とを接続する場合、排水口の形状はネジの形状である円形に限定され、課題３が解決できない、といった問題あった。
また、排水口の形状を自在にデザインできない場合、排水口と排水器本体部分の継ぎ目や排水器本体内部が露出してしまうため、これらを目隠しするために、排水口に目隠しプレートを配置することとなり、特許文献２の発明と同様、槽体内面と目隠しプレートの色調、質感に相違が生じて意匠性が悪くなる。また、継ぎ目部分が生じるため意匠性は更に悪くなる。結局の処、特許文献１において槽体内面と排水器本体のフランジ部との間で生じていた意匠性悪化の問題が、槽体内面と目隠しプレートとの間で生じることとなる。
本発明は、上記の課題に鑑みてなされたものであり、その目的とするところは、槽体と排水器との接続構造において、槽体内部に色調・質感や段差など、清掃性や衛生性・意匠性の悪化を生じさせる構造を無くし、ゴミや、汚水等が溜まり難く、ひいては清掃性が良く、且つ意匠性を良くでき、またデザインの自由度の高い槽体と排水器との接続構造を提供するものである。
【課題を解決するための手段】
【０００９】
請求項１に記載の本発明は、槽体の底壁に下方に窪んだ排水ガイド部３を設け、この排水ガイド部３の側方壁部に、水平方向に開口した排水口１と、排水口１からの排水を受ける箇所と排水を直接受けない箇所を備えた、上端に開口部５を備えた排水器本体４と、開口部５下方に形成され、排水ガイド部３が挿入されるガイド受け部１６と、からなり、槽体の底壁下面に排水器本体４との接続部２を設け、槽体に排水器本体４を接続固定すると共に、平面視排水口１の内周縁の全部が、排水器本体４の開口部５の内周縁よりも内側に配置され、開口部５は排水ガイド部３下端よりも上方の、排水口１からの排水を直接受けない箇所に配置され、排水器本体４は、ガイド受け部１６下端より下流側の排水流路において排水口１からの排水を受け、上記排水器本体４内部に、毛髪や塵芥などを収納する収納部８ａを有したストレーナー８を配置すると共に、平面視において、ストレーナー８の収納部８ａの一部が槽体の底壁の下方に配置されて、平面視において、排水口１を介しては収納部８ａの一部が目視できないように構成されたことを特徴とする槽体と排水器との接続構造及び排水器の構造である。
【００１０】
請求項２に記載の本発明は、平面視において、排水口１の形状が円形以外の非円形形状を成すことを特徴とする、請求項１に記載の槽体と排水器との接続構造及び排水器の構造である。
【００１１】
請求項３に記載の本発明は、槽体の底壁に設けられた排水口１と、排水口１の少なくとも槽体奥側の排水口１周縁から、槽体手前側に下り傾斜してなる排水ガイド部３と、排水口１からの排水を受ける箇所と排水を直接受けない箇所を備えた、内径が平面視非円形状の開口部５を上端に備えた排水器本体４と、開口部５下方に形成され、排水ガイド部３が挿入されるガイド受け部１６と、からなり、槽体の排水口１の周囲の底壁下面に排水器本体４との接続部２を設け、槽体に排水器本体４を接続固定すると共に、平面視排水口１の内周縁の全部が、排水器本体４の開口部５の内周縁よりも内側に配置されているとともに、平面視排水口１の形状が円形以外の非円形形状を成し、開口部５は排水ガイド部３下端よりも上方の、排水口１からの排水を直接受けない箇所に配置され、排水器本体４は、ガイド受け部１６下端より下流側の排水流路において排水口１からの排水を受けることを特徴とする、槽体と排水器との接続構造及び排水器の構造である。
【００１３】
請求項４に記載の本発明は、前記排水ガイド部３を、排水口１の周縁から下方ほど手前側に向けて傾斜させるとともに、前記排水器本体４を、排水ガイド部３の傾斜に連続した傾斜を備え、排水器本体４内部に、毛髪や塵芥などを収納する収納部８ａを有した箱体形状のストレーナー８を配置すると共に、平面視において、ストレーナー８の収納部８ａの一部が槽体の底壁の下方に配置されて、排水口１を介しては収納部８ａの一部が目視できないように構成し、前記収納部８ａの側壁を、排水ガイド部３の傾斜に沿って挿入することができる形状の傾斜面８ｃを備えると共に、ストレーナー８の収納部８ａが排水器本体４内部に配置された際に下面から見える部分だけ通水孔８ｂを開口したことを特徴とする、請求項３に記載の槽体と排水器との接続構造及び排水器の構造である。
【００１６】
請求項５に記載の本発明は、上記排水器本体４内部に、毛髪や塵芥などを収納する収納部８ａを有したストレーナー８を配置すると共に、平面視において、ストレーナー８の収納部８ａの一部が槽体の底壁の下方に配置されて、排水口１を介しては収納部８ａの一部が目視できないように構成されたことを特徴とする、請求項３に記載の槽体と排水器との接続構造及び排水器の構造である。
【００１７】
請求項６に記載の本発明は、排水器本体４から着脱自在であって、筒状の部材とすると共に、排水器本体４内に配置され、排水器本体４内とストレーナー８部材の間に配置される、排水口１から取り出すことのできるカバー部材９を備えたことを特徴とする、請求項１乃至請求項５のいずれか１つに記載の槽体と排水器との接続構造及び排水器の構造である。
【００１９】
請求項７に記載の本発明は、平面視において、槽体底壁下面であって、施工後の開口部５が位置する箇所の周囲に円環状の接続部２としての接続台座部１４を設け、接続台座部１４の外周面に側面に雄ネジ部７を備えた接続部２としての接続部材１３を備え、排水器本体４の周囲に、側面に雌ネジ部１２ａを備えた袋ナット部材１２を挿通し、排水器本体４と槽体との接続固定を、該雄ネジ部７と袋ナット部材１２の雌ネジ部１２ａを利用した螺合によって行うことを特徴とする、請求項１乃至請求項６のいずれか一つに記載の槽体と排水器との接続構造及び排水器の構造である。
【００２１】
請求項８に記載の本発明は、排水器本体４を、透明な素材より構成し、内部を排水器本体４の外側面方向から視認できるようにしたことを特徴とする、請求項１乃至請求項７７のいずれか一つに記載の槽体と排水器との接続構造及び排水器の構造である。
【００２２】
請求項９に記載の本発明は、排水器本体４の外側面に、排水器本体４内部と連通する点検口１０を設けると共に、該点検口１０に着脱自在で水密的に閉塞可能な蓋部材１１を備えたことを特徴とする、請求項１乃至請求項８のいずれか一つに記載の槽体と排水器との接続構造及び排水器の構造である。
【発明の効果】
【００２３】
請求項１又は請求項３に記載の本発明によれば、槽体底壁上面にはフランジ部などとの継ぎ目が生じることが無い。このため、課題１．に記載した、フランジ部と槽体内面との素材の相違による意匠性の悪化を避けることができる。
また、排水器本体と槽体との間に生じる継ぎ目部分は、側面方向を向いた形状となり、上方を向いた継ぎ目部分にくらべ容易にゴミが取り出せるようになった。これは、上を向いた継ぎ目では重力に逆らう必要があるため、ゴミを掴んで持ち上げる必要があるが、側面方向を向いた継ぎ目では、単にゴミを横にずらすだけで、重力に逆らわず継ぎ目から取り出せるためである。このため、課題２．に記載した、上方を向いた継ぎ目部分にゴミが入り込んで清掃が困難になる、と言う課題を解決することができる。
また、請求項１又は請求項３に記載の本発明では、排水口と接続部とを別々に構成し、その上で排水口の内周縁の一部又は全部が、排水器本体の開口部の内周縁よりも内側に突出して形成してなるため、接続部や排水器本体の開口部の中に収まる形状であれば、排水口は接続部の形状に制限される事無く、槽体の底壁の任意の箇所を任意の形状に開口することだけで形成する事ができる。このため、請求項３及び請求項２に記載した非円形形状を含む、希望するどの様な形状にも形成することができる。
請求項１に記載の本発明では、槽体の底壁に下方に窪んだ排水ガイド部を設け、この排水ガイド部の側方に、水平方向に開口した排水口を備えたことにより、排水器本体内部や排水口を槽体の上方及び手前側からはほとんど見えない位置に配置することができるようにできる。これにより、排水ガイド部が排水器本体の開口部内部を覆うため、排水口からその下流の視認できる箇所の大部分において、視認できる部分の色調・質感を、槽体内部と統一でき、また継ぎ目も無くすことができるなど意匠性を向上できる。
請求項３に記載の本発明では、排水口の少なくとも槽体奥側の開口周縁から、槽体手前側に下り傾斜してなる排水ガイド部を備えたことで、使用者が特に目視し易い、排水器本体の開口部の奥側部分が排水ガイド部により覆い隠され、排水口からその下流の視認できる箇所の大部分において、視認できる部分の色調・質感を、槽体内部と統一でき、また継ぎ目も無くすことができるなど意匠性を向上できる。
請求項１又は請求項５に記載の本発明では、排水器本体内に収納されるストレーナー、特に毛髪や塵芥の収納部を、槽体の底壁等によって使用者から隠す事ができるようになったため、従来の排水器において使用していた、目隠しプレートを使用する必要が無くなった。このため、従来の槽体と排水器との接続構造において発生していた、目隠しプレートの使用による、槽体内面と目隠しプレートの色調、質感に相違が生じて意匠性が悪くなる、また槽体内面と目隠しプレート継ぎ目部分が生じるため意匠性は更に悪くなる、といった問題を解決することができる。また、請求項５に記載したように、槽体の底壁によってストレーナーが覆い隠される場合、隠される部分の上面には槽体の底壁によって覆われるためストレーナー内に塵芥や排水が流入する事はない場合がある。このような場合、当該部分に排水孔を設けた壁を配置しても、塵芥の捕集や排水の通水に何ら効果はなく、通水孔に塵芥が詰まって清掃性が悪化するだけである。このような場合、請求項４に記載したように、当該部分を通水孔を有さない壁面にて構成した方が清掃性を良好なものとする事ができる。
また、上記のように構成した排水口に配置されるストレーナーでは、排水口の形状が意匠的な理由から小さな形状に制限され、それに合わせてストレーナーの形状が開口が小さくなる場合が生じる。この場合、収納できる塵芥の容量を増やすために、ストレーナーの全長が長くなり、ストレーナーの排水性能が悪化しやすくなる。このため、請求項４に記載したように、通水孔を有すると共に、傾斜を利用して塵芥が留まることが無く、常時スムーズに排水が行えるようにした傾斜面をストレーナーに備えると好適である。
また、上記のように構成した槽体と排水器との接続構造では、排水口が、意匠的な理由から小さくまた内部を視認しにくい位置関係に設けられる傾向にある。この場合、排水口からの排水器本体内部の目視・清掃が困難となるため、請求項６に記載したように、排水器本体の、特にストレーナーが触れて汚れやすい部分に、排水器本体から着脱自在で、排水口から取り出すことのできるカバー部材を備えると容易に清掃を行うことができる。
請求項７に記載の本発明によれば、槽体底壁上面にはフランジ部などとの継ぎ目が生じることが無い。このため、課題１．に記載した、フランジ部分と槽体内面との素材の相違による意匠性の悪化を避けることができる。
また、排水器本体と槽体との間に生じる継ぎ目部分は、側面方向を向いた形状となり、上方を向いた継ぎ目部分にくらべ容易にゴミが取り出せるようになった。このため、課題２．に記載した、上方を向いた継ぎ目部分にゴミが入り込んで清掃が困難になる、と言う課題を解決することができる。
また、請求項７に記載の本発明では、排水口は単に槽体の底壁の任意の箇所を円形以外の任意の形状に開口することだけで形成する事ができる。
上記排水口の形状は、上述のように、排水器本体の開口部、またはフランジ部の形状とは無関係に自由に設定することができる。このため、槽体の排水口の周囲に円環状の接続部を設け、接続部の外周面または排水器本体の外周部分に雄ネジ部を設けて、排水器本体と槽体との接続を、該雄ネジ部を利用した螺合によって行う場合でも、排水口を必ずしも円形にする必要が無く、排水口の形状の自由さを維持することができる。
また、請求項８に記載したように、排水器本体を、透明な素材よりなり、内部を排水器本体の外側面方向から視認できるようにすると、排水口が小さく、また排水口から排水器本体内が視認しにくい位置関係に設けられた場合でも、排水器本体の外部から容易に内部を確認でき好適である。
また、請求項９に記載したように、排水器本体の外側面に、排水器本体内部と連通する点検口を設けると共に、該点検口を水密的に閉塞する蓋部材を備えると、排水口が小さく、また排水口から排水器本体内が視認しにくい位置関係に設けられた場合でも、排水器本体の外部から容易に内部を確認でき好適である。
【図面の簡単な説明】
【００２４】
【図１】第一実施例の配管構造を示す参考図である。
【図２】第一実施例の排水器本体近傍の断面図である。
【図３】第一実施例の排水器本体近傍の部材構成を示す参考図である。
【図４】第一実施例の排水口近傍の平面図である。
【図５】一部を切り欠いた、第一実施例の主要部材の上方からの斜視図である。
【図６】一部を切り欠いた、第一実施例の主要部材の下方からの斜視図である。
【図７】第二実施例の配管構造を示す参考図である。
【図８】第二実施例の排水器本体近傍の断面図である。
【図９】第二実施例の排水器本体近傍の部材構成を示す参考図である。
【図１０】一部を切り欠いた、第二実施例の主要部材の上方からの斜視図である。
【図１１】一部を切り欠いた、第二実施例の主要部材の下方からの斜視図である。
【図１２】第三実施例の配管構造を示す参考図である。
【図１３】第三実施例の排水器本体近傍の断面図である。
【図１４】第三実施例の排水器本体近傍の部材構成を示す参考図である。
【図１５】第三実施例の排水口近傍の平面図である。
【図１６】一部を切り欠いた、第三実施例の主要部材の上方からの斜視図である。
【図１７】一部を切り欠いた、第三実施例の主要部材の下方からの斜視図である。
【図１８】第四実施例の配管構造を示す参考図である。
【図１９】第四実施例の排水器本体近傍の部材構成を示す参考図である。
【図２０】第四実施例の排水口近傍の平面図である。
【図２１】第四実施例の使用状態を示す参考図である。
【図２２】一部を切り欠いた、第四実施例の主要部材の上方からの斜視図である。
【図２３】一部を切り欠いた、第四実施例の主要部材の下方からの斜視図である。
【図２４】第五実施例の配管構造を示す参考図である。
【図２５】第五実施例の排水器本体近傍の部材構成を示す参考図である。
【図２６】第五実施例の排水口近傍の平面図である。
【図２７】一部を切り欠いた、第五実施例の主要部材の上方からの斜視図である。
【図２８】一部を切り欠いた、第五実施例の主要部材の下方からの斜視図である。
【図２９】第五実施例のゴミカゴを示す参考図である。
【図３０】従来例を示す参考図である。
【図３１】従来例を示す参考図である。
【図３２】従来例を示す参考図である。
【図３３】従来例を示す参考図である。
【実施例】
【００２５】
以下に、本発明の第一実施例を、図面を参照しつつ説明する。
図１乃至図６に示した本発明の第一実施例は、流し台に設けられた槽体であるシンクＳと、排水器との取付構造に関するものであって、以下に記載した槽体であるシンクＳと、排水器本体４と、袋ナット部材１２と、接続部材１３と、環状パッキングＰ１と、排水トラップ配管Ｔと、から構成される。
シンクＳは厚みが０．８〜１ミリメートル程度の、ステンレス製の金属板を加工して製造される部材であって、上方が開口した箱体形状をなしてなり、底壁に排水を排出するための、非円形形状である平面視略長方形を成す排水口１と、該排水口１の周縁から、下方に向けて垂下するようにして、若干下方ほど内側に向かう勾配を備えた筒状の排水ガイド部３を、プレス加工によりシンクＳに一体成型にて設けてなる。また、排水ガイド部３の先端には、内側に急角度で曲がる曲がり部分を形成してなる。
更に、シンクＳの底壁下面に、ステンレス材からなり、断面が開放側が外側面方向を向いた略コの字形状にして、リング状の接続台座部１４を備えてなる。接続台座部１４は、シンクＳの底壁下面であって、平面視それぞれが成す円弧の内部に排水口１が配置されるようにしてスポット溶接にて固定される。
排水器本体４は樹脂成型によって成型された部材であって、上方から順に、平面視円形を描く円筒形状の開口部５、開口部５下端から内径方向に向けて設けられた下壁部１５、排水ガイド部３の下端が挿通される、内側面の形状が排水ガイド部３の下方の外側面の形状に合致するガイド受け部１６、円筒状の本体部１７、を備えてなる。本実施例においては、平面視において、排水口１の内周縁の全部が、図４等に示したように、排水器本体４の開口部５の周縁よりも内側に突出してなる（図４の下方がシンクＳの手前側となる）。上記排水器本体４において、上端部分の外周面の径は接続台座部１４の内周面の径とほぼ等しく、また、上縁から１乃至２センチメートルほど下方に、周縁に沿って連続して外周方向に突出したフランジ部６を備えてなる。また、施工時排水ガイド部３の下端は、ガイド受け部１６の下端上面に当接するように全高を調整されて構成されてなる。また、排水器本体４の本体部１７の側面下方であって、底面に接する位置に、排水器本体４内の排水を排出する排出口１８を備えてなる。この排出口１８は、排水トラップ配管Ｔに接続される。
接続部材１３は、側面に雄ネジ部７を備えたリング状の部材を等分した形状を成した部材であって、施工時には接続台座部１４内に配置され、２枚を組み合わせてリング状となるようにして使用する。
袋ナット部材１２は断面略Ｌ字形状をなす略円環状の部材であって、その内側面に接続部材１３の雄ネジ部７と螺合する雌ネジ部１２ａを備えてなる。
環状パッキングＰ１は、ゴムなどの軟質な素材からなり、断面円角形状を成すリング形状の部材であって、平面視の形状は、ガイド受け部１６の下端部分の内周面の形状とほぼ同一である。
排水トラップ配管Ｔは円筒状の管体を途中部分にてＳ字形状に屈曲させた部材であって、上流側の端部は排水器本体４の排出口１８に、下流側の端部は屋内の床下に設けられた床下配管に、それぞれ接続される。また、上記した管体のＳ字の屈曲部分に排水を溜めることで、該排水配管は臭気や害虫類が屋内側に逆流することを防ぐ、トラップ機能を備える。
【００２６】
上記のように構成した槽体であるシンクＳと排水器とは、以下のように施工される。
まず接続台座部１４のコの字状の中部分に接続部材１３をはめ込み、接続台座部１４の外周面に雄ネジ部７が配置されるようにする。これにより、接続部材１３と接続台座部１４とが接続部２となる（図示等しないが、必要に応じて供回りを防ぐため、接続部材１３と接続台座部１４に凹凸を設ける）。
次に、環状パッキングＰ１を、排水器本体４のガイド受け部１６の下端部分であって、内周面に環状パッキングＰ１外周面が当接する位置に収納配置する。
更に、接続台座部１４に排水器本体４の上端を、またガイド受け部１６に排水ガイド部３の下端を、それぞれ挿入しつつ、排水器本体４のフランジ部６上面が接続台座部１４下面に当接するまで排水器本体４を押し上げる。この際、排水ガイド部３の下端の曲がり部分外周面と、ガイド受け部１６の側壁内面の下端部分及びガイド受け部１６底壁上面とで、環状パッキングＰ１を挟み込むように収納するため、シンクＳと排水器本体４とが水密的に接続される。
更に排水器本体４の周囲に袋ナット部材１２を挿通し、袋ナット部材１２の雌ネジ部１２ａを、接続部２の雄ネジ部７に螺合させることで、排水器本体４がシンクＳに接続固定される。
更に排水器本体４の排出口１８と床下配管とを、排水トラップ配管Ｔを介して接続して、槽体である流し台のシンクＳへの排水器の施工が完了する。
【００２７】
上記のように構成した槽体であるシンクＳ内部に、流し台の使用により排水が生じると、排水は排水口１、排水ガイド部３から排水器本体４内部を通過し、排出口１８、排水トラップ配管Ｔを通過して、最終的に床下配管から下水側に排出される。
また、排水が行われたことによって、排水トラップ配管ＴのＳ字の屈曲部部に排水が溜まり（この溜まり水を「封水」と呼ぶ）、この封水により配管の途中部分が必ず満水状態となるため、下水側の臭気また害虫類が屋内側に逆流することがない。
また、環状パッキングＰ１は、排水ガイド部３の下端の曲がり部分外周面と、ガイド受け部１６の側壁内面の下端部分及びガイド受け部１６底壁上面とで、それぞれ周囲から強く押圧して当接した状態となっており、シンクＳの一部である排水ガイド部３と排水器本体４との間に水密性を生じている。
また、当然ながら、槽体であるシンクＳの底壁上面には排水器本体４と槽体の継ぎ目は発生せず、排水口１が開口するだけになった。このため、従来例のように継ぎ目部分にゴミが入り込んで清掃が困難になる、と言う問題が無くなり、また意匠性も上記実施例のように長方形形状など、自由に変更することができ、良好な物となった。
【００２８】
以下に、本発明の第二実施例を、図面を参照しつつ説明する。
図７乃至図１１に示した本発明の第二実施例は、流し台に設けられた槽体であるシンクＳと、排水器との取付構造に関するものであって、以下に記載した槽体であるシンクＳと、排水器本体４と、平パッキングＰ２と、排水トラップ配管Ｔと、から構成される。
シンクＳは厚みが６〜１０ミリメートル程度の、人工大理石と呼ばれる樹脂材からなる部材であって、上方が開口した箱体形状をなしてなり、底壁に排水を排出するための、非円形形状である平面視略長方形を成す排水口１を備えてなる。更に、シンクＳの底壁の下面であって、排水口１の周囲数カ所に、雄ネジ部７を備えたビス部材１９に螺合する雌ネジ部１２ａを備えたビス穴からなる接続部２を備えてなる。尚、接続部２のビス穴は、シンクＳの底壁の下面側から開口して形成され、シンクＳの底壁上面には露出しない。
排水器本体４は樹脂成型によって成型された部材であって、上方から順に、平面視接続部２を含む大きさに形成された円盤形状のフランジ部６と、フランジ部６中央に開口された、平面視が排水口１と同一の形状となる開口部５、該開口部５から垂下された有底筒状の本体部１７、を備えてなる。
また、フランジ部６上であって、接続部２のビス穴に対応する位置に貫通孔を備えてなる。
また、排水器本体４の本体部１７側壁下方であって、底壁に接する位置に、排水器本体４内の排水を排出する排出口１８を備えてなる。この排出口１８は、排水トラップ配管Ｔに接続される。
平パッキングＰ２は、ゴムなどの軟質な素材からなり、平面視フランジ部６とほぼ同形状を成す円板状の部材である。また、排水器本体４の開口部５また貫通孔に対応した位置に開口を備えてなる。
排水トラップ配管Ｔは円筒状の管体を途中部分にてＳ字形状に屈曲させた部材であって、上流側の端部は排水器本体４の排出口１８に、下流側の端部は屋内の床下に設けられた床下配管に、それぞれ接続される。また、上記した管体のＳ字の屈曲部分に排水を溜めることで、該排水配管は臭気や害虫類が屋内側に逆流することを防ぐ、トラップ機能を備える。
【００２９】
上記のように構成した槽体であるシンクＳと排水器とは、以下のように施工される。
まず平パッキングＰ２をフランジ部６上面に、その形状を重ねるように配置する。
次に、シンクＳの排水口１及びビス穴部と、排水器本体４の開口部５及び貫通孔が合致するように位置あわせしながら、シンクＳ底壁下面とフランジ部６上面とで平パッキングＰ２を挟みこむようにして当接させる。
更に、排水器本体４のフランジ部６下方から、貫通孔及び平パッキングＰ２の開口を介して、ビス部材１９の雄ネジ部７を、接続部２のビス穴の雌ネジ部１２ａに螺合させることで、排水器本体４を槽体であるシンクＳに接続固定することができる。この際、シンクＳ下面と、フランジ部６上面とで、平パッキングＰ２を挟持するため、シンクＳと排水器本体４とが水密的に接続される。
更に排水器本体４の排出口１８と床下配管とを、排水トラップ配管Ｔを介して接続して、槽体である流し台のシンクＳへの排水器の施工が完了する。
【００３０】
上記のように構成した槽体であるシンクＳ内部に、流し台の使用により排水が生じると、排水は排水口１から排水器本体４内部を通過し、排出口１８、排水トラップ配管Ｔを通過して、最終的に床下配管から下水側に排出される。
また、排水が行われたことによって、排水トラップ配管ＴのＳ字の屈曲部部に封水が溜まり、この封水により配管の途中部分が必ず満水状態となるため、下水側の臭気また害虫類は屋内側に逆流することがない。
また、平パッキングＰ２は、シンクＳ底壁下面とフランジ部６上面との間に配置されて、上下から強く押圧して当接した状態となっており、シンクＳと排水器本体４との間に水密性を生じている。また、当然ながら、槽体であるシンクＳの底壁上面には排水器本体４と槽体の継ぎ目は発生せず、排水口１が開口するだけになった。このため、従来例のように継ぎ目部分にゴミが入り込んで清掃が困難になる、と言う問題が無くなり、また清掃性も良好な物となった。
また排水口１の形状を円形以外の長方形形状など、自在な形状に設定する事ができ、従来の円形以外の形状を採用することができるようになり、意匠性が向上した。
【００３１】
以下に、本発明の第三実施例を、図面を参照しつつ説明する。
図１２乃至図１７に示した本発明の第三実施例は、流し台に設けられた槽体であるシンクＳと、排水器との取付構造に関するものであって、以下に記載した槽体であるシンクＳと、排水器本体４と、ストレーナー８と、接続部材１３と、袋ナット部材１２と、平パッキングＰ２と、排水トラップ配管Ｔと、から構成される。
シンクＳは厚みが６〜１０ミリメートル程度の、人工大理石と呼ばれる樹脂材からなる部材であって、上方が開口した箱体形状をなしてなり、更に底壁には下方に突出した窪みからなる排水ガイド部３を設け、また該排水ガイド部３の手前側の側方壁部を開口させ、上下に開口した排水を排出すための排水口１を設けてなる。
このように排水口１は上下方向に大きく開口してなり、平面視においては図１５等に示したように極めて扁平な略長方形を成す。尚、ここでいう「手前側」とは施工完了時に流し台の「手前側」となる方向であり、「奥側」とは施工完了時に流し台の「奥側」となる方向である（図１５の下方がシンクＳの手前側となる）。更に、シンクＳの底壁下面に、断面が開放側が外側面方向を向いた略Ｌの字形状にして、リング状の接続台座部１４をシンクＳと一体に備えてなる。
排水器本体４は透明な樹脂素材によって成型された部材であって、平面視接続部２内周円とほぼ同じ径の円形を描くと共に外縁下方に接続部２と同じ高さのリング状部分を備えた円盤形状のフランジ部６、側面視略Ｌ字形状の箱体を成す本体部１７、該本体部１７の上面奥側に設けられた、平面視が排水ガイド部３の外側面に合致する形状を成す開口部５、開口部５の下方に配置されて排水ガイド部３の外側面に合致する形状のガイド受け部１６、排水器本体４の内部であって、ガイド受け部１６手前側に配置された、収納部８ａ上端が排水口１下端より下方且つほぼ同じ高さ位置になるようにストレーナー８を収納するストレーナー収納部２０、ストレーナー収納部２０の下方に設けられた、下方に排水器本体４内の排水を排出する排出口１８を備えてなる。この排出口１８は、排水トラップ配管Ｔに接続される。また、排水器本体４の手前側の壁面に、雄ネジを備えた点検口１０と、雌ネジを備え該点検口１０を水密的に閉塞する蓋部材１１を備えてなる。
ストレーナー８は排水ガイド部３内に一旦配置された後、その状態から排水口１を介して排水器本体４内のストレーナー収納部２０に配置される部材であって、上方が開口した箱体形状にして側壁および底壁に複数の通水孔８ｂを備えた収納部８ａと、該収納部８ａの上縁に備えた取っ手部８ｄと、から構成されてなる。
接続部材１３は、側面に雄ネジ部７を備えたリング状の部材を等分した形状を成した部材であって、施工時には接続台座部１４内に配置され、２枚を組み合わせてリング状となるようにして使用する。
袋ナット部材１２は断面略Ｌ字形状をなす略円環状の部材であって、その内側面に接続部材１３の雄ネジ部７と螺合する雌ネジ部１２ａを備えてなる。
平パッキングＰ２は、ゴムなどの軟質な素材からなり、平面視フランジ部６とほぼ同形状を成す、円板状の部材である。また、排水器本体４の開口部５に対応した位置に開口を備えてなる。
排水トラップ配管Ｔは円筒状の管体を途中部分にてＳ字形状に屈曲させた部材であって、上流側の端部は排水器本体４の排出口１８に、下流側の端部は屋内の床下に設けられた床下配管に、それぞれ接続される。また、上記した管体のＳ字の屈曲部分に排水を溜めることで、該排水配管は臭気や害虫類が屋内側に逆流することを防ぐ、トラップ機能を備える。
【００３２】
上記のように構成した槽体であるシンクＳと排水器とは、以下のように施工される。
まず接続台座部１４のＬの字状の下端とシンク底壁下面との間部分に接続部材１３をはめ込み、接続台座部１４の外周面に雄ネジ部７が配置されるようにする。これにより、接続部材１３と接続台座部１４とが接続部２となる（図示等しないが、必要に応じて供回りを防ぐため、接続部材１３と接続台座部１４に凹凸を設ける）。
次に、平パッキングＰ２をフランジ部６上面に、その形状を重ねるように配置する。
更に、接続台座部１４に排水器本体４の上端を、フランジ部６の外周面が接続部２内周面に接するように挿入しつつ、またガイド受け部１６に排水ガイド部３の下端を挿入しつつ、排水ガイド部３の下端がガイド受け部１６の底壁上面に当接するまで排水器本体４を押し上げる。
この際、シンクＳ底壁下面とフランジ部６上面とで平パッキングＰ２を挟みこむようにして当接させることで、シンクＳと排水器本体４とが水密的に接続される。
更に排水器本体４の周囲に袋ナット部材１２を挿通し、袋ナット部材１２の雌ネジ部１２ａを、接続部２の雄ネジ部７に螺合させることで、排水器本体４がシンクＳに接続固定される。
更に排水器本体４の排出口１８と床下配管とを、排水トラップ配管Ｔを介して接続する。また、排水器本体４の点検口１０に蓋部材１１を取り付ける。
最後に、ストレーナー８を一旦排水ガイド部３内に配置し、その状態から手前側にスライドさせ、排水口１を介して排水器本体４内のストレーナー収納部２０に配置させて、槽体である流し台のシンクＳへの排水器の施工が完了する。
この時、平面視においては、図１５等から明らかなように、ストレーナー８のほぼ全体が槽体であるシンクＳの底壁の下方に配置されてなる。このため、シンクＳの上方（及び手前側）からは排水口１を介してはストレーナー８全体を目視する事はできない。
【００３３】
上記のように構成した槽体であるシンクＳ内部に、流し台の使用により排水が生じると、排水は排水ガイド部３から排水口１、排水器本体４内部及びストレーナー８、排出口１８、排水トラップ配管Ｔを通過して、最終的に床下配管から下水側に排出される。
また、排水が行われたことによって、排水トラップ配管ＴのＳ字の屈曲部部に封水が溜まり、この封水により配管の途中部分が必ず満水状態となるため、下水側の臭気また害虫類は屋内側に逆流することがない。
また、排水中に毛髪や塵芥が混入していた場合、ストレーナー８の収納部８ａ内に毛髪や塵芥の混入した排水が流れ込んだ後、収納部８ａの通水孔８ｂによって、毛髪・塵芥と排水とが分離され、毛髪・塵芥は収納部８ａ内に捕集される。
また、平パッキングＰ２は、シンクＳ底壁下面とフランジ部６上面との間に配置されて、上下から強く押圧して当接した状態となっており、シンクＳと排水器本体４との間に水密性を生じている。
また、当然ながら、槽体であるシンクＳの底壁上面には排水器本体４と槽体の継ぎ目は発生せず、排水口１が開口するだけになった。このため、従来例のように継ぎ目部分にゴミが入り込んで清掃が困難になる、と言う問題が無くなり、また清掃性も良好な物となった。
また、該排水ガイド部３の手前側の側方壁部を開口させて排水口１を設けてなることで、平面視においては図１５に示したように極めて扁平な略長方形としてしか排水口１を確認できず、手前側からは排水口１は視認できない。更にストレーナー８の収納部８ａを含むほぼ全体を、排水口１を介してシンクＳの底壁の下方に配置していることにより、ストレーナー８も平面視及び手前側からは視認できない。これにより、流し台の使用者が、排水口１及びその内部や、毛髪や塵芥が収納されたストレーナー８の収納部８ａを視認することが無くなり、流し台の使用の際の不快感を減少することができる。また、この効果を得るに当たり、槽体であるシンクＳの底壁上面には、目隠しプレートを配置する必要が無く、シンクＳ底壁上面には排水ガイド部３と排水口１が設けられるだけで、上記のように排水口１も使用者からはほとんど視認できないこと、排水ガイド部３はシンクＳと一体に備えてなるため、シンクＳ内面と色調・質感などが統一され、継ぎ目も無いなどの理由から、意匠的にも極めて良好である。
また、上記第三実施例では、意匠的な理由で、排水口１を一般的な円形の排水口１よりも小さく、また排水器本体４内部等を排水口１からは視認しにくく、また手などを挿入しにくい位置関係に構成しているため、排水口１から排水器本体４内に手を入れるなどして排水器本体４内の清掃を行うことは困難である。これに対応して、上記第三実施例では、次のような２つの方法で清掃性を向上している。
１．排水器本体４を透明な素材にて構成した事で、排水器本体４内部の汚れ具合や汚れの生じている位置を、排水口１からの視認に依らなくても排水本体の外側から確認する事ができ、清掃性を向上することができる。
２．排水器本体４の手前側の壁面に、雄ネジを備えた点検口１０と、雌ネジを備え該点検口１０を水密的に閉塞する蓋部材１１を備えてなる。清掃時には、蓋部材１１を取り外し、この点検口１０から内部を確認し、またブラシなどの清掃用具を挿通して清掃することができ、清掃性を向上することができる。
【００３４】
以下に、本発明の第四実施例を、図面を参照しつつ説明する。
図１８乃至図２３に示した本発明の第四実施例は、流し台に設けられた槽体であるシンクＳと、排水器との取付構造に関するものであって、以下に記載した槽体であるシンクＳと、排水器本体４と、ストレーナー８と、袋ナット部材１２と、接続部材１３と、環状パッキングＰ１と、排水トラップ配管Ｔと、から構成される。
シンクＳは厚みが６〜１０ミリメートル程度の、人工大理石と呼ばれる樹脂材からなる部材であって、上方が開口した箱体形状をなしてなり、底壁に排水を排出するための、非円形形状である平面視略長方形を成す排水口１と、該排水口１の周縁から、下方に向けて垂下するようにした筒状の排水ガイド部３をシンクＳに一体成型にて設けてなる。また排水ガイド部３の外周面には、周縁に沿って溝部３ａが設けられてなる。更に、シンクＳの底壁下面に、断面が開放側が外側面方向を向いた略Ｌの字形状にして、リング状の接続台座部１４をシンクＳと一体に備えてなる。尚、排水口１の位置は、接続台座部１４の中心より若干奥側に設けられている。
排水器本体４は樹脂成型によって成型された部材であって、平面視接続部２内周円とほぼ同じ径の円形を描くと共に外縁下方に接続部２と同じ高さのリング状部分を備えた円盤形状のフランジ部６、及び平面視ガイド受け部１６の外周面と同じ形状を備えた開口部５、排水ガイド部３の下端が挿通される、内側面の形状が排水ガイド部３の下方の外側面の形状に合致するガイド受け部１６、及びガイド受け部１６下方に備えられた本体部１７、を備えてなる。
上記排水器本体４において、上端部分の外周面の形状は接続台座部１４の内周面の形状とほぼ等しい。また、施工時排水ガイド部３の下端は、ガイド受け部１６の下端部分の上面に当接するように全高を調整されて構成されてなる。
また、排水器本体４の本体部１７の側面下方であって、底面に接する位置に、排水器本体４内の排水を排出する排出口１８を備えてなる。この排出口１８は、排水トラップ配管Ｔに接続される。
また、図２０等に示したように、排水口１は、接続台座部１４及び排水器本体４の開口部５より内側に設けられてなる。即ち、排水口１の内周縁の全部が、排水器本体４の開口部５の内周縁よりも内側に突出してなる（図２０の下方がシンクＳの手前側となる）。
ストレーナー８は排水口１内から排水器本体４内に配置される部材であって、有底筒状にして側壁および底壁に複数の通水孔８ｂを備えた収納部８ａと、該収納部８ａの上縁に備えた取っ手部８ｄと、から構成されてなる。また、該ストレーナー８の平面視における上端部の外周面の形状は、排水器本体４の本体部１７上縁より若干だけ幅広であり、収納部８ａは排水器本体４の本体部１７内周面より若干だけ幅狭である。このため、該ストレーナー８は、排水口１から排水器本体４内への収納時、ストレーナー８の上端が、排水器本体４のガイド受け部１６底面上に載架されるようにして排水口１乃至排水器本体４内に収納される。
接続部材１３は、側面に雄ネジ部７を備えたリング状の部材を等分した形状を成した部材であって、施工時には接続台座部１４内に配置され、２枚を組み合わせてリング状となるようにして使用する。
袋ナット部材１２は断面略Ｌ字形状をなす略円環状の部材であって、その内側面に接続部材１３の雄ネジ部７と螺合する雌ネジ部１２ａを備えてなる。
環状パッキングＰ１は、ゴムなどの軟質な素材からなり、断面円形状を成すリング形状の部材であって、排水ガイド部３の溝部３ａに嵌め込まれるように構成されてなる。
排水トラップ配管Ｔは円筒状の管体を途中部分にてＳ字形状に屈曲させた部材であって、上流側の端部は排水器本体４の排出口１８に、下流側の端部は屋内の床下に設けられた床下配管に、それぞれ接続される。また、上記した管体のＳ字の屈曲部分に排水を溜めることで、該排水配管は臭気や害虫類が屋内側に逆流することを防ぐ、トラップ機能を備える。
【００３５】
更にこの流し台は、日本人の女性の平均身長に近い、身長１６０センチメートル（文部科学省資料「平成２０年度体力・運動能力調査調査結果統計表  年齢別体格測定の結果」中、女性の最も高い平均身長である、２５〜２９歳代の平均身長１５８．８４センチメートルを参考に算出）の女性が使用することを前提として、以下の寸法に設計されている。
流し台のカウンタートップ高さ：８５センチメートル（一般的に、流し台において作業のしやすいカウンター高さの目安は、（身長÷２＋５）センチメートルとされており、それに基づく数値）
カウンタートップからのシンクＳ底壁上面の深さ：１８センチメートル
流し台前面からの排水口１前方縁部までの長さ（Ｌ１）：４５センチメートル
流し台前面からの排水口１後方縁部までの長さ（Ｌ２）：５５センチメートル
シンクＳ底壁上面から排水ガイド部３下端までの長さ：２０センチメートル
【００３６】
上記のように構成した槽体であるシンクＳと排水器とは、以下のように施工される。
まず接続台座部１４のＬの字状の下端とシンク底壁下面との間部分に接続部材１３をはめ込み、接続台座部１４の外周面に雄ネジ部７が配置されるようにする。これにより、接続部材１３と接続台座部１４とが接続部２となる（図示等しないが、必要に応じて供回りを防ぐため、接続部材１３と接続台座部１４に凹凸を設ける）。
次に、シンクＳの排水ガイド部３の外周面の溝部３ａに、環状パッキングＰ１を嵌め込むようにして配置する。
更に、接続台座部１４に排水器本体４の上縁を、またガイド受け部１６に排水ガイド部３の下端を、それぞれ挿入しつつ、排水器本体４のフランジ部６上面が接続筒部下面に当接するまで排水器本体４を押し上げる。この際、環状パッキングＰ１が、内側の側面は排水ガイド部３材の溝部３ａに、外側の側面はガイド受け部１６内側の側面に、それぞれ当接するため、シンクＳと排水器本体４とが水密的に接続される。
更に排水器本体４の周囲に袋ナット部材１２を挿通し、袋ナット部材１２の雌ネジ部１２ａを、接続部２の雄ネジ部７に螺合させることで、排水器本体４がシンクＳに接続固定される。
接続部２側面の雄ネジ部７に螺合させ、更に排水器本体４の排出口１８と床下配管とを、排水トラップ配管Ｔを介して接続する。
最後に、排水口１内部にストレーナー８を、取っ手部８ｄを手前側に向けた状態で、ストレーナー８の収納部８ａの上端が、排水器本体４のガイド受け部１６底面上に載架されるようにして排水口１乃至排水器本体４内に収納して、槽体である流し台のシンクＳへの排水器の施工が完了する。
【００３７】
上記のように構成した槽体であるシンクＳ内部に、流し台の使用により排水が生じると、排水は排水ガイド部３から排水口１、排水器本体４内部及びストレーナー８、排出口１８、排水トラップ配管Ｔを通過して、最終的に床下配管から下水側に排出される。
また、排水が行われたことによって、排水トラップ配管ＴのＳ字の屈曲部部に封水が溜まり、この封水により配管の途中部分が必ず満水状態となるため、下水側の臭気また害虫類は屋内側に逆流することがない。
また、排水中に毛髪や塵芥が混入していた場合、ストレーナー８の収納部８ａ内に毛髪や塵芥の混入した排水が流れ込んだ後、収納部８ａの通水孔８ｂによって、毛髪・塵芥と排水とが分離され、毛髪・塵芥は収納部８ａ内に捕集される。
また、環状パッキングＰ１は、内側の側面は排水ガイド部３材の溝部３ａに、外側の側面はガイド受け部１６内側の側面に、それぞれ側面方向から強く押圧して当接した状態となっており、シンクＳの一部である排水ガイド部３と排水器本体４との間に水密性を生じている。
また、当然ながら、槽体であるシンクＳの底壁上面には排水器本体４と槽体の継ぎ目は発生せず、排水口１が開口するだけになった。このため、従来例のように継ぎ目部分にゴミが入り込んで清掃が困難になる、と言う問題が無くなり、また清掃性も良好な物となった。
【００３８】
更に本発明では、段落００３５に記載したような寸法に設計したことで、流し台の使用者が流し台の前面に正面を向いて立った時に、ストレーナー８の収納部８ａが目視されないように構成されている。
図２１を参照しつつ具体的に説明すると、一般的に目の高さ位置は頭頂から約１０センチメートル下方であるため、身長１６０センチメートルの使用者の目の高さ位置は、シンクＳ底壁上面の高さ位置よりも８３センチ上方である。この使用者の目の高さ位置からシンクＳ底壁上面の高さ位置までの高低差をＨ１とする。また、流し台前面からの排水口１前方縁部までの長さをＬ１、流し台前面からの排水口１後方縁部までの長さをＬ２とする。この時、流し台の使用者が流し台の前面に正面を向いて立った時に視認できる排水口１奥側の深さを、排水口１上縁からｘセンチメートルまでとすると、
流し台前面からの排水口１前方縁部までの長さ（Ｌ１）／流し台使用者の目からシンクＳ底壁上面までの高さ（Ｈ１）＝流し台前面からの排水口１後方縁部までの長さ（Ｌ２）／流し台使用者の目からシンクＳ底壁上面までの高さ（（Ｈ１）＋ｘ）である。これにそれぞれの数値を入力すると、（４５／８３＝５５／８３＋ｘ）よりｘ＝約１８．４センチメートルが導き出せる。
従って、流し台の使用者が流し台の前面に正面を向いて立った時に視認できる排水口１奥側の深さは、排水口１上縁（シンクＳ底壁上面）より約１８．４センチメートル下方までで、それよりも下方は視認できない。本実施例におけるストレーナー８の上縁は、シンクＳ受け部の底壁上面とほぼ同じ高さ位置で、シンクＳ底壁上面からおよそ２０センチメートル下方の位置であり、流し台前面に使用者が立った際、流し台の使用者からほぼ見えない深さ位置に配置収納されている。
使用者の目の高さ位置は使用者の身長によって異なり、またシンクＳにおける排水口１の形状・配置関係によっても変化するが、本発明では実施例に示したように、流し台を主に使用する女性の平均身長を参考にすること、また本発明のように排水口１の形状を自在に変更できる構成を採用し、排水口１の位置・形状を検討することで、（あくまで平均的な身長の女性を基準としているが、）流し台の前面に使用者が立った際、流し台の使用者からほぼ見えない深さ位置にストレーナー８を配置することができる。また、通常、使用者の身長に合わせて流し台のカウンター高さは調整されるため（流し台の購入の際、使用者の身長に併せてキャビネットの高さが変更される）、たとえ使用者の身長が使用者毎に異なっても、それに合わせて流し台のカウンター高さも変更され、流し台使用者の目からシンクＳ底壁上面までの高さ（Ｈ１）はある程度一定の範囲内に収まるものであり、流し台前面に使用者が立った際、量産品としての槽体であるシンクＳの使用者からほぼ見えない深さ位置に、ストレーナー８を配置するように設計することは可能である。
【００３９】
以下に、本発明の第五実施例を、図面を参照しつつ説明する。
図２４乃至図２９に示した本発明の第五実施例は、流し台に設けられた槽体であるシンクＳと、排水器との取付構造に関するものであって、以下に記載した槽体であるシンクＳと、排水器本体４と、ストレーナー８と、カバー部材９と、接続部材１３と、袋ナット部材１２と、平パッキングＰ２と、排水トラップ配管Ｔと、から構成される。
シンクＳは厚みが６〜１０ミリメートル程度の、人工大理石と呼ばれる樹脂材からなる部材であって、上方が開口した箱体形状をなしてなり、底壁に排水を排出するための、非円形形状である平面視略長方形を成す排水口１と、該排水口１の奥側周縁から、下方ほど手前側に向けて傾斜する排水ガイド部３を、側面側の壁面と共に、シンクＳに一体成型にて設けてなる。
更に、シンクＳの底壁下面に、断面が開放側が外側面方向を向いた略Ｌの字形状にして、リング状の接続台座部１４をシンクＳと一体に備えてなる。尚、排水口１の位置は、接続台座部１４の中心より若干奥側に設けられている。
排水器本体４は透明な樹脂成型によって成型された部材であって、平面視接続部２内周円とほぼ同じ径の円形を描くと共に外縁下方に接続部２と同じ高さのリング状部分を備えた円盤形状のフランジ部６、及び平面視排水口１と同じ高さ位置のガイド受け部１６の外周面と同じ形状を備えた開口部５、該開口部５から連通した、排水ガイド部３の外側面に合致する形状を備えたガイド受け部１６、ガイド受け部１６の下方に備えられた略直方体形状であって、下面が排水ガイド部３の傾斜に連続した傾斜を備えた本体部１７、より構成されてなる。
上記排水器本体４において、フランジ部６の外周面の外径は、リング状部分を含め、接続台座部１４の内径とほぼ等しい。
また、排水器本体４の下端部分に、下方を向いて排水器本体４内の排水を排出する排出口１８を備えてなる。この排出口１８は、排水トラップ配管Ｔに接続される。
また排水器本体４の本体部１７下方には、カバー部材９の下端と合致して内面を平滑に連続させる段部２１を備えてなる。また、傾斜した排水器本体４の本体部１７の下端部分であって、ストレーナー８の収納部８ａ底壁の対向位置に、雄ネジを備えた点検口１０と、雌ネジを備え該点検口１０を水密的に閉塞する蓋部材１１を備えてなる。
ストレーナー８は排水口１から排水器本体４内に配置される部材であって、排水口１から排水器本体４内に、排水ガイド部３の傾斜に沿って挿入することができる形状を備えた、毛髪や塵芥を収納する収納部８ａから構成されてなる。また、該ストレーナー８の収納部８ａの内、上方の壁面また側方の壁面は、図２９（ａ）（斜め前方からの参考図）より明らかなように、単なる板状であって通水孔８ｂを開口していない。一方、下方の壁面及び底側の壁面には、図２９（ｂ）（斜め後方からの参考図）より明らかなように、排水用の通水孔８ｂを複数設けてなる。使用時において、通水孔８ｂを備えたストレーナー８の下面は、排水器本体４内に、勾配を備えて配置されるため、傾斜面８ｃとして機能し、排水から毛髪や塵芥を分離すると共に、分離した毛髪や塵芥を勾配により収納部８ａの下方側に向けて落下させる。
カバー部材９は、排水口１から排水器本体４内であって、排水器本体４内とストレーナー８部材の間に配置される筒状の部材であり、上下の端部外側面に、排水器本体４内周面と水密的に接続するためのパッキングを備えてなる。上記カバー部材９の上端及び下端は排水器本体４内周面と段差無く接するように構成されてなり（下端は排水器本体４内部の段部２１を利用して排水器本体４内周面と段差無く接する）、また、下壁の内周面には、下方ほどストレーナー８との間に隙間を生じるようにするための、ストレーナー８と接するリブ片９ａを備えてなる。
接続部材１３は、側面に雄ネジ部７を備えたリング状の部材を、等分した形状を成した部材であって、施工時には接続台座部１４内に配置され、２枚を組み合わせてリング状となるようにして使用する。
袋ナット部材１２は断面略Ｌ字形状をなす略円環状の部材であって、その内側面に接続部材１３の雄ネジ部７と螺合する雌ネジ部１２ａを備えてなる。
平パッキングＰ２は、ゴムなどの軟質な素材からなり、平面視フランジ部６とほぼ同形状を成す、円板状の部材である。また、排水器本体４の開口部５に対応した位置に開口を備えてなる。
排水トラップ配管Ｔは円筒状の管体を途中部分にてＳ字形状に屈曲させた部材であって、上流側の端部は排水器本体４の排出口１８に、下流側の端部は屋内の床下に設けられた床下配管に、それぞれ接続される。また、上記した管体のＳ字の屈曲部分に排水を溜めることで、該排水配管は臭気や害虫類が屋内側に逆流することを防ぐ、トラップ機能を備える。
【００４０】
上記のように構成した槽体であるシンクＳと排水器とは、以下のように施工される。
まず接続台座部１４のＬの字状の下端とシンク底壁下面との間部分に接続部材１３をはめ込み、接続台座部１４の外周面に雄ネジ部７が配置されるようにする。これにより、接続部材１３と接続台座部１４とが接続部２となる（図示等しないが、必要に応じて供回りを防ぐため、接続部材１３と接続台座部１４に凹凸を設ける）。
次に、平パッキングＰ２をフランジ部６上面に、その形状を重ねるように配置する。
更に、接続台座部１４の内周面に排水器本体４の上縁を、フランジ部６の外周面が接続部２内周面に接するようにしつつ、またガイド受け部１６に排水ガイド部３の下面が当接するようにしつつ挿入し、排水ガイド部３の下端がガイド受け部１６底壁上面に当接するまで排水器本体４を押し上げる。この際、シンクＳ底壁下面とフランジ部６上面とで平パッキングＰ２を挟みこむようにして当接させることで、シンクＳと排水器本体４とが水密的に接続される。
更に排水器本体４の周囲に袋ナット部材１２を挿通し、袋ナット部材１２の雌ネジ部１２ａを、接続部２の雄ネジ部７に螺合させることで、排水器本体４がシンクＳに接続固定される。
更に排水器本体４の排出口１８と床下配管とを、排水トラップ配管Ｔを介して接続する。また、排水器本体４の点検口１０に蓋部材１１を取り付ける。
最後に、排水口１から、まず排水器本体４内部にカバー部材９をはめ込み、更にストレーナー８を挿入して、槽体である流し台のシンクＳへの排水器の施工が完了する。
この時、平面視においては、図２６等から明らかなように、ストレーナー８の収納部８ａの大半が槽体であるシンクＳの底壁の下方に配置されてなる（図２６の下方がシンクＳの手前側となる）。このため、シンクＳの上方（及び手前側）からは排水口１を介してはストレーナー８全体を目視する事はできない。
【００４１】
上記のように構成した槽体であるシンクＳ内部に、流し台の使用により排水が生じると、排水は排水口１から排水器本体４内部を、ストレーナー８の収納部８ａ、ストレーナー８の傾斜面８ｃ及び底壁の通水孔８ｂ、排出口１８、の順に通過し、更に排水トラップ配管Ｔを通過して、最終的に床下配管から下水側に排出される。
また、排水が行われたことによって、排水トラップ配管ＴのＳ字の屈曲部部に封水が溜まり、この封水により配管の途中部分が必ず満水状態となるため、下水側の臭気また害虫類は屋内側に逆流することがない。
また、排水中に毛髪や塵芥が混入していた場合、ストレーナー８の収納部８ａ内に毛髪や塵芥の混入した排水が流れ込んだ後、収納部８ａの通水孔８ｂによって、毛髪・塵芥と排水とが分離され、毛髪・塵芥は収納部８ａ内に捕集される。
また、平パッキングＰ２は、シンクＳ底壁下面とフランジ部６上面との間に配置されて、上下から強く押圧して当接した状態となっており、シンクＳの底壁と排水器本体４との間に水密性を生じている。
また、当然ながら、槽体であるシンクＳの底壁上面には排水器本体４と槽体の継ぎ目は発生せず、排水口１が開口するだけになった。このため、従来例のように継ぎ目部分にゴミが入り込んで清掃が困難になる、と言う問題が無くなり、また清掃性も良好な物となった。
また、図２６に示したように、ストレーナー８の収納部８ａの大半をシンクＳの底壁の下方に配置し、排水口１を介しては収納部８ａの大部分が目視できないようにしたことによって、流し台の使用者が、排水口１及びその内部や、毛髪や塵芥が収納されたストレーナー８の収納部８ａを視認することが無くなり、流し台の使用の際の不快感を減少することができる。シンクＳ底壁上面には排水ガイド部３と排水口１が設けられるだけで、上記のように排水口１も使用者からはほとんど視認できないこと、また、使用者に目に付く、排水口１の奥側から下方にかけては、シンクＳ手前側に下り傾斜してなる排水ガイド部３をシンクＳと一体に備えてなるため、シンクＳ内面と色調・質感などが統一され、継ぎ目も無いなどの理由から、意匠的にも極めて良好である。
また、図２９等に示したように、シンクＳの底壁によって隠されるストレーナー８の収納部８ａの上方の壁面、及び側方の壁面には通水孔８ｂを設けない壁面にて構成している。
本実施例では、ストレーナー８の上方の壁面は、排水器本体４の内面にほぼ密接するように配置され、この面に仮に通水孔８ｂや開口を設けても、毛髪や塵芥が入り込んだり、排水の出入りが生じることは無く、通水孔８ｂを有さない壁としてもストレーナー８の排水性能や捕集性能にはほとんど影響がでない。そして、通水孔８ｂを有さない壁としたことで、通水孔８ｂに塵芥が詰まって清掃性が悪化する、という事が無く、壁面を拭くだけで清掃を行うことができ、清掃性を向上する事ができる。
また、本実施例のストレーナー８において、収納部８ａの下方の壁面には、通水孔８ｂを有すると共に、傾斜を備えて構成し、またカバー部材９のリブ片９ａにより排水が通過することのできる隙間を形成しているため、通水孔８ｂにより排水から塵芥を分離すると共に、分離した塵芥を収納部８ａの下方側に向けて落下させることができる。このような構成により、たとえストレーナー８の収納部８ａに毛髪や塵芥などが収納されても、傾斜面８ｃの少なくとも上方の通水孔８ｂから、ストレーナー８の収納部８ａの下面とカバー部材９との隙間を介し、下流側に、常時スムーズに排水が行えるように構成されている。本実施例のストレーナー８では、排水口１の形状が意匠的な理由から（円形の排水口１に比べ）小さな形状に制限され、それに合わせてストレーナー８の塵芥を入り込ませるための開口が小さく構成されている。このため、収納できる塵芥の容量を増やすために、ストレーナー８の全高（開口から底壁までの長さ）を高く（又は長く）構成しており、塵芥などにより排水の流れが妨げられることで、上方の開口から底壁までに排水が流れにくい構成となっている。このため、上記のような傾斜面８ｃを利用した常時スムーズに排水が行われる構成とすると、特に効果的である。
また、上記第五実施例では、意匠的な理由で、排水口１を一般的な円形の排水口１よりも小さく、また排水器本体４内部等を排水口１からは視認しにくく、また手などを挿入しにくい位置関係に構成しているため、排水口１から排水器本体４内に手を入れるなどして排水器本体４内の清掃を行うことは困難である。これに対応して、上記第五実施例では、次のような３つの方法で清掃性を向上している。
１．排水器本体４を透明な素材にて構成した事で、排水器本体４内部の汚れ具合や汚れの生じている位置を、排水口１からの視認に依らなくても排水本体の外側から確認する事ができ、清掃性を向上することができる。
２．排水器本体４の手前側の壁面に、雄ネジを備えた点検口１０と、雌ネジを備え該点検口１０を水密的に閉塞する蓋部材１１を備えてなる。清掃時には、蓋部材１１を取り外し、この点検口１０から内部を確認し、またブラシなどの清掃用具を挿通して清掃することができ、清掃性を向上することができる。
３．排水器本体４の、特にストレーナー８が触れて汚れやすい部分に、排水器本体４から着脱自在で、排水口１から取り出すことのできるカバー部材９を備えてなり、このカバー部材９を排水口１から取り出して清掃することで、排水器本体４内の汚れた部分の清掃を容易に行うことができる。
【００４２】
本発明の実施例は以上のようであるが、本発明は上記実施例に限定されるものではなく、主旨を変更しない範囲において自由に変更が可能である。
例えば、上記実施例では、排水配管が備えられる槽体を、流し台のシンクＳとしているが、本発明は上記実施例に限定されるものではなく、洗面台や浴槽また浴室パン、洗濯機パンなど他の槽体の排水口１に使用してももちろん構わない。また槽体の素材に関しても、上記実施例のステンレスなどの金属や樹脂素材だけではなく、陶器など、本発明が採用できる範囲で自在に変更しても構わない。
【符号の説明】
【００４３】
１      排水口                    ２      接続部
３      排水ガイド部              ３ａ    溝部
４      排水器本体                ５      開口部
６      フランジ部                ７      雄ネジ部
８      ストレーナー              ８ａ    収納部
８ｂ    通水孔                    ８ｃ    傾斜面
８ｄ    取っ手部                  ９      カバー部材
９ａ    リブ片                    １０    点検口
１１    蓋部材                    １２    袋ナット部材
１２ａ  雌ネジ部                  １３    接続部材
１４    接続台座部                １５    下壁部
１６    ガイド受け部              １７    本体部
１８    排出口                    １９    ビス部材
２０    ストレーナー収納部        ２１    段部
Ｓ      シンク                    Ｐ１    環状パッキング
Ｐ２    平パッキング              Ｔ      排水トラップ配管
【図１】
0005948553.tif 000002
【図２】
0005948553.tif 000003
【図３】
0005948553.tif 000004
【図４】
0005948553.tif 000005
【図５】
0005948553.tif 000006
【図６】
0005948553.tif 000007
【図７】
0005948553.tif 000008
【図８】
0005948553.tif 000009
【図９】
0005948553.tif 000010
【図１０】
0005948553.tif 000011
【図１１】
0005948553.tif 000012
【図１２】
0005948553.tif 000013
【図１３】
0005948553.tif 000014
【図１４】
0005948553.tif 000015
【図１５】
0005948553.tif 000016
【図１６】
0005948553.tif 000017
【図１７】
0005948553.tif 000018
【図１８】
0005948553.tif 000019
【図１９】
0005948553.tif 000020
【図２０】
0005948553.tif 000021
【図２１】
0005948553.tif 000022
【図２２】
0005948553.tif 000023
【図２３】
0005948553.tif 000024
【図２４】
0005948553.tif 000025
【図２５】
0005948553.tif 000026
【図２６】
0005948553.tif 000027
【図２７】
0005948553.tif 000028
【図２８】
0005948553.tif 000029
【図２９】
0005948553.tif 000030
【図３０】
0005948553.tif 000031
【図３１】
0005948553.tif 000032
【図３２】
0005948553.tif 000033
【図３３】
0005948553.tif 000034